(57)【要約】  輝度補正装置は、表示部と、外部環境情報である照度値を計測する照度センサと、現在の輝度設定値と遅延時間を算出するための算出情報とを記憶する記憶部と、照度センサが計測した照度値から目標輝度設定値を決定し、目標輝度設定値と記憶部が記憶した現在の輝度設定値と算出情報とに応じて輝度補正開始時間を決定し、輝度補正開始時間において記憶部が記憶した現在の輝度設定値及び目標輝度設定値から規定時間毎の輝度設定変化量を算出し、算出した輝度設定変化量に応じて出力輝度設定値を出力する照度制御部と、照度制御部が出力した出力輝度設定値に応じて表示部の輝度を調整する輝度制御部と、を具備する。
2010044256.tif 000002
【特許請求の範囲】
【請求項１】
表示部を有する輝度補正装置であって、
外部環境情報である照度値を計測する照度センサと、
現在の輝度設定値と前記現在の輝度設定値を目標輝度設定値に向けて更新開始する輝度補正開始時間までの遅延時間を算出するための算出情報とを記憶する記憶部と、
前記照度センサが計測した前記照度値から前記目標輝度設定値を決定し、前記目標輝度設定値と前記記憶部が記憶した前記現在の輝度設定値と前記算出情報とに応じて前記輝度補正開始時間を決定し、前記輝度補正開始時間において前記記憶部が記憶した前記現在の輝度設定値及び前記目標輝度設定値から規定時間毎の輝度設定変化量を算出し、算出した前記輝度設定変化量に応じて出力輝度設定値を出力する照度制御部と、
前記照度制御部が出力した前記出力輝度設定値に応じて、前記表示部の輝度を調整する輝度制御部と、
を具備する輝度補正装置。
【請求項２】
前記現在の輝度設定値と前記目標輝度設定値とに差がある場合、
前記照度制御部は、
前記現在の輝度設定値と前記目標輝度設定値との差が所定輝度閾値より小さい程、前記遅延時間を長くし、
前記現在の輝度設定値と前記目標輝度設定値との差が前記所定輝度閾値以上の場合は、前記遅延時間を所定値にする請求項１に記載の輝度補正装置。
【請求項３】
前記照度制御部は、前記算出情報を含む決定テーブルを有し、
前記決定テーブルに基づいて、前記目標輝度設定値と前記現在の輝度設定値から前記遅延時間を決定する請求項１に記載の輝度補正装置。
【請求項４】
前記現在の輝度設定値と前記目標輝度設定値とに差がある場合、
前記照度制御部は、
前記目標輝度設定値と前記現在の輝度設定値との差が所定輝度閾値より小さい場合、
規定時間に前記目標輝度設定値と前記現在の輝度設定値の差を乗算して乗算結果を得るとともに、
初期値から前記乗算結果を減算して前記遅延時間として決定し、
前記目標輝度設定値と前記現在の輝度設定値の差が前記所定輝度閾値以上の場合、
前記遅延時間を所定値に決定する請求項１に記載の輝度補正装置。
【請求項５】
前記照度制御部は、前記現在の輝度設定値が前記目標輝度設定値になるまでの変化時間を所定時間となるように、前記輝度設定変化量を算出する請求項１に記載の輝度補正装置。
【請求項６】
輝度設定情報を入力する入力部をさらに備え、
前記記憶部は、さらに輝度可変範囲の上限値及び下限値の少なくとも一方を算出するための演算情報を記憶し、
照度制御部は、入力された前記輝度設定情報及び記憶された前記演算情報に応じて前記輝度可変範囲の前記上限値及び前記下限値の少なくとも一方を算出するとともに、計測された前記照度値と算出された前記輝度可変範囲から前記出力輝度設定値を決定する請求項１に記載の輝度補正装置。
【請求項７】
前記演算情報は、入力された前記輝度設定情報に対応して前記輝度可変範囲の前記上限値及び前記下限値の少なくとも一方を設定する情報である、ことを特徴とする請求項６に記載の輝度補正装置。
【請求項８】
前記記憶部は、所定の閾値及び前記所定の閾値に対応する第１上限値及び第１下限値の少なくとも一方をさらに記憶し、
前記演算情報は、
入力された前記輝度設定情報が記憶された前記所定の閾値より大きい場合、
入力された前記輝度設定情報に対応して前記輝度可変範囲の前記上限値及び前記下限値の少なくとも一方を設定し、
入力された前記輝度設定情報が記憶された前記所定の閾値以下の場合、
前記輝度可変範囲の前記上限値及び前記下限値の少なくとも一方を対応する前記第１上限値及び前記第１下限値の少なくとも一方に設定する情報である、ことを特徴とする請求項６に記載の輝度補正装置。
【請求項９】
前記記憶部は、所定の閾値及び前記輝度可変範囲の前記上限値及び前記下限値の少なくとも一方を算出するための所定の算出式を記憶し、
前記演算情報は、
入力された前記輝度設定情報が記憶された前記所定の閾値より大きい場合
入力された前記輝度設定情報に対応して前記輝度可変範囲の前記上限値及び前記下限値の少なくとも一方を設定し、
入力された前記輝度設定情報が記憶された前記所定の閾値以下の場合
前記輝度可変範囲の前記上限値及び前記下限値の少なくとも一方を前記所定の算出式によって算出する情報である、ことを特徴とする請求項６に記載の輝度補正装置。
【請求項１０】
表示部の輝度を補正するための輝度補正方法であって、
外部環境情報である照度値を計測するステップと、
現在の輝度設定値と、前記現在の輝度設定値を目標輝度設定値に向けて更新開始する輝度補正開始時間までの遅延時間を算出するための算出情報と、を記憶するステップと、
計測された前記照度値から前記目標輝度設定値を決定するステップと、
前記目標輝度設定値と前記現在の輝度設定値と前記算出情報とに応じて前記輝度補正開始時間を決定するステップと、
前記輝度補正開始時間において前記現在の輝度設定値及び前記目標輝度設定値から規定時間毎の輝度設定変化量を算出するステップと、
算出された前記輝度設定変化量に応じて出力輝度設定値を出力するステップと、
出力された前記出力輝度設定値に応じて、輝度を調整するステップと、
を有する輝度補正方法。
【請求項１１】
前記記憶するステップは、輝度可変範囲の上限値及び下限値の少なくとも一方を算出するための演算情報を記憶し、
前記出力輝度設定値を決定するステップは、入力された前記輝度設定情報及び記憶された前記演算情報によって前記輝度可変範囲の前記上限値及び前記下限値の少なくとも一方を算出するとともに、計測された前記照度値と算出された前記輝度可変範囲から出力輝度設定値を決定する、
請求項１０に記載の輝度補正方法。
【発明の詳細な説明】
【技術分野】
【０００１】
本発明は、輝度補正装置及び輝度補正方法に関し、更に詳しくは、著しい視聴環境に変化に伴い環境照度が変化することに対応して、表示部の輝度変化の開始タイミングを補正可能な輝度補正装置及び輝度補正方法に関する。
【背景技術】
【０００２】
従来、携帯端末、車載搭載テレビジョン受信機等の移動可能な端末において、環境照度の変化に応じた画面表示を自動的に行う画面自動補正装置がある。この画面自動補正装置は、環境照度を計測して外部環境情報である照度値を出力するセンサを備えている。このような構成により、画面自動補正装置は、センサで計測した照度値に応じた輝度の調整値をメモリから読み出す。そして、画面自動補正装置は、読み出した調整値とユーザが選択した表示画面モード情報との演算に基づいて、表示部の輝度の値をユーザにとって最適な値に設定している（例えば、特許文献１参照）。【０００３】
そして、このような画面自動補正装置等の従来の輝度補正装置では、輝度が変化したことを検出するために、例えば現在の輝度において他の輝度が規定回数連続して検出された場合に、現在の輝度が他の輝度に変化したと判断している。ここで、上記した規定回数は、例えば、５０回である。【０００４】
しかしながら、上記従来の輝度補正装置では、例えば、輝度補正装置を採用した車載搭載テレビジョン受信機が並木道等の明暗を繰り返す場所を通過中などのように、環境照度の明暗が著しく変化する状況において、環境照度の変化に敏感に反応して表示部の輝度を頻繁に変化させてしまう。その結果、ユーザに違和感を与えてしまうという問題があった。
【先行技術文献】
【特許文献】
【０００５】
【特許文献１】特開２０００−０８２１３７号公報
【発明の概要】
【０００６】
本発明の輝度補正装置は、表示部を有する輝度補正装置であって、照度センサと記憶部と照度制御部と輝度制御部とを具備する。
【０００７】
照度センサは、外部環境情報である照度値を計測する。記憶部は、現在の輝度設定値と、現在の輝度設定値を目標輝度設定値に向けて更新開始する輝度補正開始時間までの遅延時間を算出するための算出情報とを記憶する。照度制御部は、照度センサが計測した照度値から目標輝度設定値を決定する。そして、照度制御部は、目標輝度設定値と記憶部が記憶した現在の輝度設定値と算出情報とに応じて輝度補正開始時間を決定する。また、照度制御部は、輝度補正開始時間において記憶部が記憶した現在の輝度設定値、及び目標輝度設定値から規定時間毎の輝度設定変化量を算出する。照度制御部は、算出した輝度設定変化量に応じて出力輝度設定値を出力する。そして、輝度制御部は、照度制御部が出力した出力輝度設定値に応じて、表示部の輝度を調整する。
【０００８】
このような構成により、表示部を視聴する際の環境照度が著しく変化する状況においても、環境照度に応じて表示部の輝度を適切に補正でき、ユーザに見やすい映像を提供することが可能となる。
【０００９】
本発明の輝度補正方法は、表示部の輝度を補正するための輝度補正方法であって、外部環境情報である照度値を計測するステップと、現在の輝度設定値と、現在の輝度設定値を目標輝度設定値に向けて更新開始する輝度補正開始時間までの遅延時間を算出するための算出情報とを記憶するステップと、計測された照度値から目標輝度設定値を決定するステップと、目標輝度設定値と現在の輝度設定値と算出情報とに応じて輝度補正開始時間を決定するステップと、輝度補正開始時間において現在の輝度設定値及び目標輝度設定値から規定時間毎の輝度設定変化量を算出するステップと、算出された輝度設定変化量に応じて出力輝度設定値を出力するステップと、出力された出力輝度設定値に応じて、輝度を調整するステップとを有する。
【図面の簡単な説明】
【００１０】
【図１】図１は、本発明の実施の形態１に係る輝度補正装置の構成を示すブロック図である。
【図２】図２は、同実施の形態に係る照度制御部の全体処理を示すフローチャートである。
【図３Ａ】図３Ａは、同実施の形態に係る現在の輝度設定値を目標輝度設定値に向けて更新開始するまでの遅延時間を、決定テーブルに基づいて算出する方法を示す図である。
【図３Ｂ】図３Ｂは、同実施の形態に係る現在の輝度設定値を目標輝度設定値に向けて更新開始するまでの遅延時間を、決定計算式に基づいて算出する方法を示す図である。
【図４】図４は、同実施の形態に係る照度が変化した場合の輝度補正処理を時間軸で表示した図である。
【図５】図５は、本発明の実施の形態２に係る輝度補正装置の構成を示すブロック図である。
【図６】図６は、同実施の形態２に係る輝度補正装置の照度制御部が出力輝度設定値を設定できるとした場合の動作を説明する図である。
【図７】図７は、同実施の形態２に係る照度制御部の全体処理を示すフローチャートである。
【図８】図８は、同実施の形態２に係るユーザ輝度設定値と出力輝度設定値との関係および輝度可変範囲を示す図である。
【図９】図９は、同実施の形態３に係る照度制御部の全体処理を示すフローチャートである。
【図１０】図１０は、同実施の形態３に係るユーザ輝度設定値と出力輝度設定値との関係および輝度可変範囲を示す図である。
【図１１】図１１は、同実施の形態４に係る照度制御部の全体処理を示すフローチャートである。
【図１２Ａ】図１２Ａは、同実施の形態４に係るユーザ輝度設定値と出力輝度設定値との関係および輝度可変範囲を示す図である。
【図１２Ｂ】図１２Ｂは、同実施の形態４に係るユーザ輝度設定値が所定の閾値以下の場合の輝度可変範囲の上限値を算出する式の例を示す。
【発明を実施するための形態】
【００１１】
（実施の形態１）
図１に本発明の実施の形態１に係る輝度補正装置１００の構成を示す。輝度補正装置１００は、照度センサ１０１と照度制御部１０２と輝度制御部１０３と表示部１０４と記憶部１０５とから構成される。
【００１２】
照度センサ１０１は、環境照度を計測して、輝度補正装置１００の外部環境情報である照度値（照度検出値）を出力する。照度制御部１０２は、照度センサ１０１で計測した照度値から目標輝度設定値を決定する。目標輝度設定値は、照度値に応じて、表示部１０４が表示すべき輝度として設定される値である。照度制御部１０２は、環境照度が、高い場合には、目標輝度設定値を高くする。逆に環境照度が、低い場合には、目標輝度設定値を低くする。このように制御すると、ユーザが、表示部１０４の内容を理解しやすく、目が疲れることも少ないからである。また、無駄な電力の消費を防ぐこともできる。
【００１３】
記憶部１０５は、表示部１０４が表示している現在の輝度設定値と、遅延時間を算出するための算出情報とを記憶する。遅延時間は、照度制御部１０２が現在の輝度設定値を目標輝度設定値に向けて更新開始する輝度補正開始時間までの時間である。
【００１４】
照度制御部１０２は、目標輝度設定値と記憶部１０５が記憶した現在の輝度設定値と算出情報とに応じて、輝度補正開始時間、すなわち、遅延時間を決定する。なお、本実施の形態において照度制御部１０２は、現在の輝度設定値と目標輝度設定値とに差がある場合、現在の輝度設定値と目標輝度設定値との差が所定輝度閾値より小さい程、遅延時間を長くする。また、照度制御部１０２は、現在の輝度設定値と目標輝度設定値との差が所定輝度閾値以上の場合は、遅延時間を所定値にする。
【００１５】
次に、照度制御部１０２は、輝度補正開始時間において、現在の輝度設定値及び目標輝度設定値から規定時間毎の輝度設定変化量を算出する。そして、照度制御部１０２は、算出した輝度設定変化量に応じて輝度制御部１０３へ出力する出力輝度設定値を算出して出力する。輝度制御部１０３と照度制御部１０２の具体的な処理に関しては、後ほど図２、図３Ａ、図３Ｂを用いて詳述する。
【００１６】
輝度制御部１０３は、照度制御部１０２が出力した出力輝度設定値に応じて、表示部１０４の輝度を調整する。表示部１０４は、モニタ等の表示装置である。
【００１７】
記憶部１０５は、上述したように遅延時間を算出するための算出情報を記憶する。この遅延時間は、算出情報を含む決定テーブルまたは決定計算式のどちらか一方に基づいて求めることができる。遅延時間を求める方法については、後に詳細に説明する。
【００１８】
次に、図２を用いて、照度制御部１０２の処理を説明する。図２は、本実施の形態に係る照度制御部１０２の全体処理を示すフローチャートである。本実施の形態に係る輝度補正方法は、表示部１０４の輝度を補正するための輝度補正方法であって、以下の各ステップを有する。図２に示すように照度制御部１０２は、外部環境情報である照度値を照度センサ１０１で計測して、アナログ量からデジタル量に変換する（ステップＳ２０１）。そして、照度制御部１０２は、デジタル変換された照度値のチャタリング除去を行う（ステップＳ２０２）。これは、照度検出値が、ほぼ一定の安定した値に収束するまで待つためである。次に、照度制御部１０２は、チャタリング除去した照度検出値から目標輝度設定値を決定する（ステップＳ２０３）。
【００１９】
次に、照度制御部１０２は、目標輝度設定値が記憶部１０５に記憶された現在の輝度設定値と等しいかを判定する（ステップＳ２０４）。目標輝度設定値が記憶部１０５に記憶された現在の輝度設定値と等しい場合は（ステップＳ２０４で「Ｙｅｓ」）、ステップＳ２０１に戻る。
【００２０】
一方、ステップＳ２０４において、目標輝度設定値が記憶部１０５に記憶された現在の輝度設定値と異なる場合は（「Ｎｏ」）、図３Ａ、図３Ｂに示す算出方法を利用して遅延時間とその遅延時間を算出するための初期値を設定する（ステップＳ２０５）。遅延時間を設定する方法の詳細については後述する。
【００２１】
このステップＳ２０４からステップＳ２０７までは、照度制御部１０２が目標輝度設定値と記憶部１０５が記憶した現在の輝度設定値と算出情報とに応じて、輝度補正開始時間を決定するためのステップである。次に、照度制御部１０２は、遅延時間の初期値から、所定の時間だけカウントアップする（ステップＳ２０６）。そして、カウントアップされた初期値が遅延時間に到達したかを判定する（ステップＳ２０７）。カウントアップされた初期値が遅延時間に到達していない場合（ステップＳ２０７で「Ｎｏ」）、ステップＳ２０６に進み、カウントアップされた初期値を所定の時間だけさらにカウントアップする。そして、ステップＳ２０６からステップＳ２０７の処理を繰り返す。これらの処理の繰り返しにより、初期値は遅延時間に到達し（ステップＳ２０６で「Ｙｅｓ」）、ステップＳ２０８に進む。なお、上述した初期値は、例えば「０ｍｓ」とし、カウントアップする所定の時間は、例えば「１ｍｓ」とすればよい。
【００２２】
遅延時間の算出方法としては、図３Ａに示す決定テーブルに基づく算出方法と、図３Ｂに示す決定計算式に基づく算出方法がある。図３Ａは、現在の輝度設定値を目標輝度設定値に向けて更新開始するまでの遅延時間を、決定テーブル３０１に基づいて算出する方法を示す図である。図３Ｂは、現在の輝度設定値を目標輝度設定値に向けて更新開始するまでの遅延時間を、決定計算式３０２に基づいて算出する方法を示す図である。
【００２３】
まず、図３Ａを用いて、決定テーブルに基づく遅延時間の算出方法について説明する。決定テーブルに基づく算出方法では、照度制御部１０２は、目標輝度設定値と現在の輝度設定値から決定テーブルに基づいて遅延時間を決定する。決定テーブルは算出情報を含んでいる。例えば、現在の輝度設定値が「６」で目標輝度設定値が「０」の場合は、遅延時間は「５０ｍｓｅｃ」となる。すなわち、この場合には、照度制御部１０２は、チャタリング除去完了後から「５０ｍｓｅｃ」だけ輝度補正の開始タイミングを遅延させる。また、例えば、現在の輝度設定値が「６」で目標輝度設定値が「４」の場合は、遅延時間は「１３０ｍｓｅｃ」となる。したがって、照度制御部１０２は、チャタリング除去完了後から「１３０ｍｓｅｃ」だけ輝度補正の開始タイミングを遅延させる。図３Ａから分かるように、この例においては、所定輝度閾値は、「６」としている。また、遅延時間の所定値は、「５０ｍｓ」である。
【００２４】
一方、図３Ｂに示す遅延時間を算出する算出情報を含む決定計算式に基づいて、遅延時間を算出する方法では、現在の輝度設定値と目標輝度設定値とに差がある場合、照度制御部１０２は、まず、所定輝度閾値を設定する。所定輝度閾値は、例えば「６」とすればよい。そして、目標輝度設定値と現在の輝度設定値の差が所定輝度閾値より小さい場合、規定時間に目標輝度設定値と現在の輝度設定値の差を乗算する。そして、この乗算結果を一定値から減算して得られた演算結果を遅延時間として決定する。また、目標輝度設定値と現在の輝度設定値の差が所定輝度閾値以上の場合、所定値を遅延時間として決定する。ここで、規定時間は、例えば「２０ｍｓ」とし、一定値は、「１７０ｍｓ」とし、また所定値は、「５０ｍｓ」とすればよい。
【００２５】
このように現在の輝度設定値を目標輝度設定値にするまでの遅延時間を、例えば、一定値である所定値の場合と、現在の輝度設定値と目標輝度設定値との変化が大きいか小さいかに応じて変化させる場合との２種類設けている。このようにすることで、照度制御部１０２は、輝度の変化量が大きい場合は輝度変化を早く開始させ、輝度の変化量が小さい場合は輝度変化を遅く開始させることが可能となる。なお、遅延時間が、所定値（例えば、「５０ｍｓ」）の場合、図３Ａでは、ハッチングを付して識別表示している。
【００２６】
次に、図２に戻って、照度制御部１０２の全体処理を示すフローの続きを説明する。ステップＳ２０７で遅延時間に到達した場合は（「Ｙｅｓ」）、照度制御部１０２は、現在の輝度設定値を目標輝度設定値に更新する処理を開始する（ステップＳ２０８）。そして、照度制御部１０２は、現在の輝度設定値と目標輝度設定値から一定時間（例えば、「２０ｍｓｅｃ」）毎の輝度設定変化量を算出する（ステップＳ２０９）。このとき照度制御部１０２は、現在の輝度設定値が目標輝度設定値になるまでの変化時間を所定時間となるように、輝度設定変化量を算出する。なお、所定時間は、例えば０．１秒から１秒程度に設定すればよい。また、所定時間は、ユーザの好みにより、任意に設定変更できるようにしてもよい。
【００２７】
次に、照度制御部１０２は、目標輝度設定値が記憶部１０５に記憶された現在の輝度設定値と等しいかを判定する（ステップＳ２１０）。ここで、目標輝度設定値と記憶部１０５に記憶された現在の輝度設定値が異なる場合は（ステップＳ２１０で「Ｎｏ」）、照度制御部１０２は、現在の輝度設定値と輝度設定変化量から出力輝度設定値を算出する（ステップＳ２１１）。具体的には、照度制御部１０２は、現在の輝度設定値に輝度設定変化量を加算した値を出力輝度設定値とする。そして、照度制御部１０２は、出力輝度設定値をデジタル変換して、あるいはＰＷＭ出力として輝度制御部１０３へ出力する（ステップＳ２１３）。そして、ステップＳ２１０に戻る。これらのステップＳ２１０からステップＳ２１３までの一連の処理を、目標輝度設定値と記憶部１０５に記憶された現在の輝度設定値が等しくなるまで繰り返す。
【００２８】
一方、目標輝度設定値と記憶部１０５に記憶された現在の輝度設定値が等しい場合は（ステップＳ２１０で「Ｙｅｓ」）、照度制御部１０２は、記憶部１０５に記憶された現在の輝度設定値を出力輝度設定値に更新する（ステップＳ２１２）。そして、ステップＳ２０１に戻る。
【００２９】
上記処理により、輝度制御部１０３は、照度制御部１０２から出力された出力輝度設定値に基づいて表示部１０４の輝度を補正する。このようにすることにより、環境照度に応じて表示部１０４の輝度を適切に補正でき、ユーザに見やすい映像を提供することが可能となる。
【００３０】
図４は、環境照度が、照度値Ａ１から照度値Ｂ１あるいは照度値Ｃ１に変化した場合の輝度補正処理を時間軸で表示した図である。図４には、環境照度の時間変化特性４００と遅延時間Ｔ１が変化しない場合の出力輝度設定値の時間変化特性４０２と遅延時間Ｔ１、Ｔ１３が変化する場合の出力輝度設定値の時間変化特性４０４とを示している。
【００３１】
例えば、環境照度の時間変化特性４００に示すように、現在の環境照度が照度値Ａ１であって、現在の輝度設定値が出力輝度設定値Ａ２である状況において、照度値Ａ１が照度値Ｃ１に変化した場合を想定する。まず、照度制御部１０２は、環境照度が照度値Ｃ１に変化した後に、チャタリング除去のためチャタリング除去時間Ｔ０の経過を待つ。そして、その時点で照度制御部１０２は、出力輝度設定値の時間変化特性４０２に示すように、照度値Ｃ１から目標輝度設定値である出力輝度設定値Ｃ２を決定する。すなわち、照度制御部１０２は、環境照度が、高い場合には、目標輝度設定値を高くする。逆に環境照度が、低い場合には、目標輝度設定値を低くする。そして、照度制御部１０２は、上記した方法を用いて目標輝度設定値である出力輝度設定値Ｃ２と現在の輝度設定値である出力輝度設定値Ａ２とから、輝度変化開始時間を遅延させるための遅延時間Ｔ１を決定する。さらに、照度制御部１０２は、遅延時間Ｔ１の経過後に、出力輝度設定値Ａ２と出力輝度設定値Ｃ２から規定時間（例えば、「２０ｍｓｅｃ」）毎の輝度設定変化量を算出する。このとき照度制御部１０２は、現在の輝度設定値が目標輝度設定値になるまでの変化時間を所定時間Ｔ２となるように、輝度設定変化量を算出する。そして、照度制御部１０２は、輝度設定変化量に応じた早さで出力輝度設定値Ａ２を出力輝度設定値Ｃ２になるよう出力輝度設定値を繰り返し更新して、出力する。
【００３２】
次に、出力輝度設定値の時間変化特性４０２に示すように、現在の環境照度が照度値Ａ１であって、現在の輝度設定値が出力輝度設定値Ａ２である状況において、照度値Ａ１が照度値Ｂ１に変化した場合を想定する。この場合、照度制御部１０２は、現在の輝度設定値である出力輝度設定値Ａ２を目標輝度設定値である出力輝度設定値Ｂ２に変化させる。ここで、遅延時間Ｔ１は、図３Ａに示したようにハッチングを付して示した一定の所定値（例えば、５０ｍｓ）の場合を想定する。本実施の形態において、出力輝度設定値Ａ２と出力輝度設定値Ｃ２との変化が大きい場合と、出力輝度設定値Ａ２と出力輝度設定値Ｂ２との変化が小さい場合とでは、遅延時間Ｔ１と同様に輝度変化時間Ｔ２も同一である。すなわち、出力輝度設定値Ａ２から出力輝度設定値Ｂ２への変化と同様な速さで、出力輝度設定値Ａ２を出力輝度設定値Ｃ２に変化させた場合に比べて、輝度変化に要する時間は、時間Ｔ３だけ短縮できる。したがって、輝度変化が大きいほど、輝度変化が大きくなり、ユーザに見やすい映像を提供することができる。
【００３３】
次に、出力輝度設定値の時間変化特性４０４に示すように、目標輝度設定値に応じて遅延時間Ｔ１、Ｔ１３が変化する場合について説明する。現在の輝度設定値である出力輝度設定値Ａ２と目標輝度設定値である出力輝度設定値Ｂ２との変化が小さい場合は、出力輝度設定値Ａ２と出力輝度設定値Ｃ２との変化が大きい場合よりも、遅延時間が大きくなる。したがって、輝度変化の開始が遅くなる。すなわち、遅延時間Ｔ１３は、遅延時間Ｔ１より大きくなる。しかし、出力輝度設定値Ａ２から、出力輝度設定値Ｂ３への輝度変化時間Ｔ２は、出力輝度設定値Ａ２から、出力輝度設定値Ｃ３への変化時と変わらない。これによって、大きな環境照度変化時には、輝度変化開始が短いので敏捷に輝度変化するようになる。また、並木道通過中のように、小さな環境照度変化の場合は、輝度変化開始が遅れることにより、輝度変化には鈍感になる。しかし、設定輝度の変化を開始したら、上記の２つの場合において輝度変化時間Ｔ２が一定となることにより俊敏に変化が得られ、ユーザに見やすい映像を提供することができる。
【００３４】
但し、本実施の形態において、出力輝度設定値Ａ２からの輝度変化に関する説明を、出力輝度設定値Ａ２から出力輝度設定値Ｂ２の輝度変化時間Ｔ２を基本として説明としたが、出力輝度設定値Ａ２から出力輝度設定値Ｃ２を基本とし、出力輝度設定値Ａ２から出力輝度設定値Ｂ２への変化時間を出力輝度設定値Ａ２から出力輝度設定値Ｃ２と同じになるようにしてもよい。
【００３５】
（実施の形態２）
図５に本発明の実施の形態２に係る輝度補正装置２００の構成を示す。輝度補正装置２００は、入力部２１０と、照度センサ１０１と、照度制御部２０２と、輝度制御部１０３と、表示部１０４及び記憶部２０５から構成される。なお、本実施の形態における構成要素は、実施の形態１の構成要素と同じ構成要素については同じ符号を用い、説明を省略する場合がある。
【００３６】
実施の形態１に係る輝度補正装置１００は、表示部１０４を視聴する際の環境照度が著しく変化する状況においても、環境照度に応じて表示部１０４の輝度を適切に補正できるように照度制御部１０２が輝度制御部１０３を制御した。しかし、ユーザの嗜好に応じて照度制御部１０２が輝度可変範囲を設定できるものではなかった。
【００３７】
図６は、輝度補正装置２００が入力部２１０を有し、ユーザによる入力を受け付けることができる構成を前提として、照度制御部２０２が出力輝度設定値を設定できるとした場合の動作を説明する図である。すなわち、図６は、一例としてユーザ輝度設定値と出力輝度設定値との関係および輝度可変範囲について説明するための図である。出力輝度設定値の変化特性６００に示すように、環境照度輝度補正の無効時には、ユーザ輝度設定値に応じて出力輝度設定値は一義的に決定される。ここで、環境照度輝度補正とは、実施の形態１において説明したように、環境照度の変化に応じて表示部１０４の輝度を補正する機能である。したがって、例えばユーザ輝度設定値Ａ４がユーザによって設定されると、出力輝度設定値ａ４が照度制御部２０２から出力されることとなる。
【００３８】
一方、出力輝度設定値の変化特性６０２に示すように、環境照度輝度補正の有効時には、ユーザ輝度設定値に応じて出力輝度設定値は所定の範囲において変化させることができる。すなわち、例えばユーザ輝度設定値Ａ４がユーザによって設定されると、出力輝度設定値ｃ５から出力輝度設定値ｄ５までが、照度制御部２０２から出力されることとなる。このようにすれば、環境照度輝度補正の有効時において、輝度可変範囲の上限（図６に示す出力輝度設定値ｄ４から出力輝度設定値ｄ５まで）および下限（図６に示す出力輝度設定値ｃ４から出力輝度設定値ｃ５まで）をユーザが設定することは可能である。
【００３９】
しかしながら、輝度補正装置１００が入力部を有し、ユーザによる入力を受け付けるとしても、単に出力輝度設定値を可変できるだけでは望ましくない。なぜなら、輝度可変範囲はユーザ輝度設定値Ａ４、ユーザ輝度設定値Ｂ４には依存しないため、ユーザ輝度設定が環境照度に応じた輝度可変範囲および輝度出力に反映されないからである。
【００４０】
そこで、発明者らは、更なる検討を行って、ユーザ輝度設定を環境照度に応じた輝度可変範囲および輝度出力に反映することのできる輝度補正装置２００を構成した。
【００４１】
まず、図５を用いて、本実施の形態に係る輝度補正装置２００の動作について説明する。入力部２１０は、ユーザによる輝度設定情報の入力を受け付ける。ユーザは例えばキーを操作することによって、環境照度輝度補正の有効または無効の設定を切り替えたり、ユーザ輝度設定値を変更することができる。すなわち、輝度設定情報は、例えば環境照度輝度補正の有効または無効の設定情報やユーザ輝度設定値などである。
【００４２】
環境照度輝度補正が無効な場合には、ユーザ輝度設定値によって表示部１０４の輝度が決まる。照度センサ１０１は、環境照度を計測して、輝度補正装置２００の外部環境情報である照度値を出力する。照度制御部２０２は、ユーザ輝度設定に応じて輝度可変範囲を決定するとともに、照度センサ１０１で計測した照度値と輝度可変範囲から目標輝度設定値を決定する。また、照度制御部２０２は、目標輝度設定値及び現在の輝度設定値に基づいて出力輝度設定値を算出し、輝度制御部１０３へ出力する。照度制御部２０２の具体的な処理に関しては、後ほど図７を用いて詳述する。
【００４３】
輝度制御部１０３は、照度制御部２０２から入力された出力輝度設定値に応じて表示部１０４の輝度を調整する。表示部１０４は、モニタ等の表示装置である。記憶部２０５は、表示部１０４が表示している現在の輝度設定値を記憶する。また、記憶部２０５は、ユーザ輝度設定に基づく輝度可変範囲の上限値および下限値を記憶する。
【００４４】
次に、図７を用いて照度制御部２０２の処理を説明する。図７は、照度制御部２０２の全体処理を示すフローチャートである。
【００４５】
まず、照度制御部２０２は、照度センサ１０１で計測した照度値をアナログ量からデジタル量に変換する（ステップＳ３０１）。そして、デジタル変換された照度値（照度検出値）のチャタリング除去を行い、チャタリング除去した照度検出値を決定する（ステップＳ３０２）。
【００４６】
次に、ユーザによるユーザ輝度設定値の変化があった場合（ステップＳ３０３で「Ｙｅｓ」）、輝度可変範囲の上限値をユーザ輝度設定値に対応した出力輝度設定値に更新する（ステップＳ３０４）。その際、ユーザ輝度設定値を輝度出力に変換する変換式を用いて出力輝度設定値を算出してもよい。そして、ステップＳ３０２でチャタリング除去した照度検出値から目標輝度設定値を決定する（ステップＳ３０５）。一方、ユーザによるユーザ輝度設定値の変化がなかった場合（ステップＳ３０３で「Ｎｏ」）、ステップＳ３０５に進む。
【００４７】
次に、環境照度輝度補正が有効な場合であって（ステップＳ３０７で「Ｙｅｓ」）、かつ目標輝度設定値と記憶部２０５に記憶された現在の輝度設定値が異なる場合は（ステップＳ３０９で「Ｎｏ」）、現在の輝度設定値と輝度設定変化量から出力輝度設定値を算出する（ステップＳ３１０）。具体的には、現在の輝度設定値に輝度設定変化量を和算した値を出力輝度設定値とする。ここで、輝度設定変化量は定数であっても、現在の輝度設定値と目標輝度設定値から演算して決定する値であってもよい。そして、記憶部２０５に記憶された現在の輝度設定値を出力輝度設定値に更新し（ステップＳ３１１）、出力輝度設定値をデジタル変換して、あるいはＰＷＭ出力として輝度制御部１０３へ出力する（ステップＳ３１２）。そして、ステップＳ３０７に戻って、一連の処理を繰り返す。
【００４８】
一方、環境照度輝度補正が有効な場合であって（ステップＳ３０７で「Ｙｅｓ」）、かつ目標輝度設定値と記憶部２０５に記憶された現在の輝度設定値が等しい場合は（ステップＳ３０９で「Ｙｅｓ」）、ステップＳ３０１からステップＳ３０９の処理を繰り返す。上記処理により、輝度制御部１０３は照度制御部２０２から出力された出力輝度設定値に基づいて表示部１０４の輝度を補正する。
【００４９】
なお、環境照度輝度補正が無効な場合には（ステップＳ３０７で「Ｎｏ」）、現在の輝度設定値および出力輝度設定値をユーザ調整値に対応した出力輝度設定値に更新する（ステップＳ３０８）。そして、出力輝度設定値をデジタル変換して、あるいはＰＷＭ出力として輝度制御部１０３へ出力する（ステップＳ３１２）。そして、ステップＳ３０７に戻って、一連の処理を繰り返す。
【００５０】
図８に、本実施の形態におけるユーザ輝度設定値と出力輝度設定値との関係を示す。出力輝度設定値の変化特性８００に示すように、環境照度輝度補正の無効時には、ユーザ輝度設定値に応じて出力輝度設定値は一義的に決定される。一方、出力輝度設定値の変化特性８０２に示すように本実施の形態によれば、環境照度輝度補正の有効時において、ユーザ輝度設定値をデフォルトの設定値であるユーザ輝度設定値ｄｅｆより暗く設定した場合、例えばユーザ輝度設定値Ａ４の場合には輝度可変範囲が狭くなる。すなわち、輝度可変範囲は出力輝度設定値ｃ４から出力輝度設定値ａ４までとなる。一方、ユーザ輝度設定値をデフォルトの設定値であるユーザ輝度設定値ｄｅｆより明るく設定した場合、例えばユーザ輝度設定値Ｂ４の場合には輝度可変範囲は広くなる。すなわち、輝度可変範囲は出力輝度設定値ｃ４から出力輝度設定値ｂ４までとなる。
【００５１】
このように出力輝度設定値は環境照度と輝度可変範囲に基づいて決まる。したがって、同じ環境照度において、ユーザ輝度設定値が変化すると、輝度可変範囲の変化に伴って表示部１０４の輝度も変化する。
【００５２】
なお、ステップＳ３０４ではユーザ輝度設定値に対応して輝度可変範囲の上限値を更新しているが、ユーザ輝度設定値に対応して輝度可変範囲の下限値を更新するようにしてもよい。すなわち、上記したように本実施の形態に係る輝度補正装置２００の記憶部２０６は、輝度可変範囲の上限値及び下限値の少なくとも一方を算出するための演算情報を記憶している。ここで、演算情報は、入力された輝度設定情報に対応して輝度可変範囲の上限値及び下限値の少なくとも一方を設定する情報である。そして、照度制御部２０２は、入力された輝度設定情報及び記憶された演算情報に応じて輝度可変範囲の上限値及び下限値の少なくとも一方を算出するとともに、計測された照度値と算出された輝度可変範囲から出力輝度設定値を決定する。このような構成により、本実施の形態によれば、ユーザ輝度設定値に応じて、輝度可変範囲および表示部の輝度を適切に補正することができる。
【００５３】
（実施の形態３）
図５に本発明の実施の形態３に係る輝度補正装置２００の構成を示す。なお、本実施の形態における構成要素は実施の形態２の構成要素と同じ構成要素については同じ符号を用い、説明を省略する。図９に本発明の実施の形態３に係る照度制御部２０２の全体処理を示すフローチャートを示す。図９において、実施の形態２と同じ処理については同じ符号を用い、説明を省略する。
【００５４】
本実施の形態に係る輝度補正装置２００においては、記憶部２０５に輝度可変範囲の第１上限値を記憶し、ユーザ輝度設定値が所定の閾値以下の場合には、輝度可変範囲の上限値を輝度可変範囲の第１上限値に設定することが実施の形態２と異なる。なお、所定の閾値は、ユーザがユーザ輝度設定値を設定できる範囲において任意の輝度設定値としてもよい。
【００５５】
具体的には、図９のステップＳ４０４とステップＳ４０５の部分が、実施の形態２と異なる。すなわち、まず、設定されたユーザ輝度設定値が、所定の閾値以下の場合は（ステップＳ４０４の「Ｙｅｓ」）、輝度可変範囲の上限値を輝度可変範囲の第１上限値に設定する（ステップＳ４０５）。これによって、環境照度輝度補正が有効な場合の輝度可変範囲の上限値は必ず輝度可変範囲の第１上限値となる。
【００５６】
一方、設定されたユーザ輝度設定値が、所定の閾値を越える場合は（ステップＳ４０４の「Ｎｏ」）、輝度可変範囲の上限値をユーザ輝度設定値に対応した出力輝度設定値に更新する（ステップＳ３０４）。
【００５７】
図１０に、本実施の形態におけるユーザ輝度設定値と出力輝度設定値との関係を示す。出力輝度設定値の変化特性９００に示すように、環境照度輝度補正の無効時には、ユーザ輝度設定値に応じて出力輝度設定値は一義的に決定される。一方、出力輝度設定値の変化特性９０２に示すように本実施の形態によれば、環境照度輝度補正の有効時において、ユーザ輝度設定値を所定の閾値ＴＨ４より暗く設定した場合、例えばユーザ輝度設定値Ａ４の場合には輝度可変範囲の上限値は、輝度可変範囲の第１上限値としての出力輝度設定値ｔｈ４となる。したがって、ユーザ輝度設定値が多少変化しても、輝度可変範囲は一定となる。すなわち、輝度可変範囲は出力輝度設定値ｃ４から出力輝度設定値ｔｈ４までとなる。一方、ユーザ輝度設定値を所定の閾値ＴＨ４より明るく設定した場合、例えばユーザ輝度設定値Ｂ４の場合には輝度可変範囲は、ユーザ輝度設定が所定の閾値ＴＨ４以下の場合より広くなる。すなわち、輝度可変範囲は出力輝度設定値ｃ４から出力輝度設定値ｂ４までとなる。
【００５８】
出力輝度設定値は環境照度と輝度可変範囲に基づいて決まる。したがって、同じ環境照度において、ユーザ輝度設定値が所定の閾値ＴＨ４より大きく変化すると、輝度可変範囲の変化に伴って表示部１０４の輝度も変化する。
【００５９】
本実施の形態によれば、ユーザ輝度設定値を暗めに設定した場合でも、一定以上の輝度可変範囲を確保することができる。したがって、例えば、周囲が暗い場所でユーザ輝度設定を暗めに設定した後で周囲が明るくなった時に環境照度輝度補正を有効にした場合でも、環境照度に応じて表示部の輝度を適切に補正することができる。
【００６０】
なお、輝度可変範囲の第１上限値としての出力輝度設定値ｔｈ４は、一定の値であっても、ユーザによる設定が可能であってもよい。
【００６１】
また、ステップＳ４０５ではユーザ輝度設定値に対応して輝度可変範囲の第１上限値としての出力輝度設定値ｔｈ４を更新しているが、ユーザ輝度設定値に対応して輝度可変範囲の第１下限値としての出力輝度設定値ｃ４を更新するようにしてもよい。すなわち、上記したように本実施の形態に係る輝度補正装置２００の記憶部２０５は、所定の閾値及び所定の閾値に対応する出力輝度設定値ｔｈ４及び出力輝度設定値ｃ４の少なくとも一方をさらに記憶する。そして、入力された輝度設定情報が記憶された所定の閾値より大きい場合、演算情報は、入力された輝度設定情報に対応して輝度可変範囲の上限値及び下限値の少なくとも一方を設定する情報である。一方、入力された度設定情報が記憶された所定の閾値以下の場合、演算情報は、輝度可変範囲の上限値及び下限値の少なくとも一方を対応する出力輝度設定値ｔｈ４及び出力輝度設定値ｃ４の少なくとも一方に設定する情報である。
【００６２】
（実施の形態４）
図５に本発明の実施の形態４に係る輝度補正装置２００の構成を示す。本実施の形態における構成要素は実施の形態３の構成要素と同じ構成要素については同じ符号を用い、説明を省略する。図１１に本発明の実施の形態４に係る照度制御部２０２の全体処理を示すフローチャートを示す。図１１において、実施の形態２と同じ処理については同じ符号を用い、説明を省略する。
【００６３】
本実施の形態に係る輝度補正装置２００においては、記憶部２０５に記憶するユーザ輝度設定値を出力輝度設定値に変換する変換式を、ユーザ輝度設定値が所定の閾値ＴＨ４以下の場合と所定の閾値ＴＨ４より大きいの場合に分けて記憶することが実施の形態３と異なる。
【００６４】
具体的には、図１１のステップＳ４０６の部分が、実施の形態３と異なる。すなわち、まず、設定されたユーザ輝度設定値が、所定の閾値ＴＨ４以下の場合は（ステップＳ４０４の「Ｙｅｓ」）、ユーザ輝度設定値が所定の閾値ＴＨ４より大きい場合と異なる所定の変換式にて輝度可変範囲の上限値を算出する（ステップＳ４０６）。これによって、環境照度輝度補正が有効な場合の輝度可変範囲の上限値は輝度可変範囲の上限値以上とすることもできるし、輝度可変範囲の上限値未満とすることもできる。
【００６５】
図１２Ａに本実施の形態におけるユーザ輝度設定値と出力輝度設定値との関係を示す。出力輝度設定値の変化特性９１０に示すように、環境照度輝度補正の無効時には、ユーザ輝度設定値に応じて出力輝度設定値は一義的に決定される。一方、出力輝度設定値の変化特性９１２に示すように本実施の形態によれば、環境照度輝度補正の有効時において、ユーザ輝度設定値を所定の閾値ＴＨ４より暗く設定した場合、例えばユーザ輝度設定値Ａ４の場合には輝度可変範囲は、出力輝度設定値ｃ４から出力輝度設定値ａ５までである。また、ユーザ輝度設定Ａ５の場合には輝度可変範囲は、出力輝度設定値ｃ４から出力輝度設定値ａ６までとなる。このように本実施の形態においては、ユーザ輝度設定値を反映しつつある程度の輝度可変範囲を確保することができる。また、ユーザ輝度設定値を所定の閾値ＴＨ４より明るく設定した場合、例えば、ユーザ輝度設定値Ｂ４の場合には輝度可変範囲は、出力輝度設定値ｃ４から出力輝度設定値ｂ４までとなり、ユーザ輝度設定に応じた輝度可変範囲となる。
【００６６】
図１２Ｂに、ユーザ輝度設定値が所定の閾値ＴＨ４以下の場合の輝度可変範囲の上限値を算出する式の例を示す。輝度可変範囲の上限値の算出では、例１または例２のいずれかの算出式を使用する。例１では、任意の係数ｋ１とユーザ輝度設定値に対応した輝度設定値とを乗算した値を輝度可変範囲の上限値とする。ここで、ｋ１は予め定めた１より大きい任意の係数とする（例えば、ｋ１＝１．５でもよい）。また例２では、所定の閾値ＴＨ４の時の輝度設定値からユーザ輝度設定値に対応した輝度設定値を減算したものに任意の係数ｋ２を乗算する。そして、更にユーザ輝度設定値に対応した輝度設定値を加算した値を輝度可変範囲の上限値とする。ここで、ｋ２は予め定めた１より小さい任意の係数とする（例えば、ｋ２＝０．５でもよい）。
【００６７】
出力輝度設定値は環境照度と輝度可変範囲に基づいて決まるので、同じ環境照度において、ユーザ輝度設定値が所定の閾値ＴＨ４より大きく変化なると、輝度可変範囲の変化に伴って表示部１０４の輝度も変化する。
【００６８】
なお、ステップＳ４０６ではユーザ輝度設定値が所定の閾値ＴＨ４より大きい場合と異なる所定の変換式にて輝度可変範囲の上限値を算出しているが、ユーザ輝度設定値が所定の閾値ＴＨ４より大きい場合と異なる所定の変換式にて輝度可変範囲の下限値を算出するようにしてもよい。すなわち、本実施の形態に係る輝度補正装置２００の記憶部２０５は、所定の閾値ＴＨ４及び輝度可変範囲の上限値及び下限値の少なくとも一方を算出するための所定の算出式を記憶する。そして、演算情報は、入力された輝度設定情報が記憶された所定の閾値ＴＨ４より大きい場合、入力された輝度設定情報に対応して輝度可変範囲の上限値及び下限値の少なくとも一方を設定する。そして、演算情報は、入力された輝度設定情報が記憶された所定の閾値ＴＨ４以下の場合、輝度可変範囲の上限値及び下限値の少なくとも一方を所定の算出式によって算出する情報である。
【００６９】
本実施の形態によれば、ユーザ輝度設定値を暗めに設定した場合でも、ユーザの好みによる輝度設定値を反映しつつ、一定以上の輝度可変範囲を確保して、表示部の輝度を適切に補正することができる。
【００７０】
なお、本実施の形態では、ユーザが設定するユーザ設定輝度値の所定の閾値ＴＨ４を、１つの場合について説明しているが、所定の閾値ＴＨ４を複数としてもよい。そして、ユーザ輝度設定値が、複数の所定の閾値ＴＨ４を跨ぐ場合に、異なる輝度可変範囲の上限値および下限値の算出式について、異なる算出式を用いるように変更してもよい。
【産業上の利用可能性】
【００７１】
本発明によれば、表示部を視聴する環境照度が著しく変化する状況においても、環境照度に応じて表示部の輝度を適切に補正でき、ユーザに見やすい映像を提供することが可能となるため、車載搭載テレビジョン受信機、携帯端末等の映像信号を表示しかつ移動可能な装置に有用である。
【符号の説明】
【００７２】
１００    輝度補正装置
１０１    照度センサ
１０２    照度制御部
１０３    輝度制御部
１０４    表示部
１０５    記憶部
２００    輝度補正装置
２０２    照度制御部
２０５    記憶部
２１０    入力部
ａ４，ａ５，ａ６，ｂ４，ｃ４，ｄ４，ｃ５，ｄ５    出力輝度設定値
ｔｈ４    出力輝度設定値（第１上限値）
ＴＨ４    所定の閾値
Ａ１，Ｂ１，Ｃ１    照度値
Ａ２，Ｂ２，Ｂ３，Ｃ２，Ｃ３    出力輝度設定値
Ａ４，Ｂ４    ユーザ輝度設定値
Ｔ０    チャタリング除去時間
Ｔ２    輝度変化時間
Ｔ１，Ｔ１３    遅延時間
【図１】
2010044256.tif 000003
【図２】
2010044256.tif 000004
【図３Ａ】
2010044256.tif 000005
【図３Ｂ】
2010044256.tif 000006
【図４】
2010044256.tif 000007
【図５】
2010044256.tif 000008
【図６】
2010044256.tif 000009
【図７】
2010044256.tif 000010
【図８】
2010044256.tif 000011
【図９】
2010044256.tif 000012
【図１０】
2010044256.tif 000013
【図１１】
2010044256.tif 000014
【図１２Ａ】
2010044256.tif 000015
【図１２Ｂ】
2010044256.tif 000016
【手続補正書】
【提出日】平成23年1月17日(2011.1.17)
【手続補正１】
【補正対象書類名】明細書
【補正対象項目名】００３２
【補正方法】変更
【補正の内容】
【００３２】
次に、出力輝度設定値の時間変化特性４０２に示すように、現在の環境照度が照度値Ａ１であって、現在の輝度設定値が出力輝度設定値Ａ２である状況において、照度値Ａ１が照度値Ｂ１に変化した場合を想定する。この場合、照度制御部１０２は、現在の輝度設定値である出力輝度設定値Ａ２を目標輝度設定値である出力輝度設定値Ｂ２に変化させる。ここで、遅延時間Ｔ１は、図３Ａに示したようにハッチングを付して示した一定の所定値（例えば、５０ｍｓ）の場合を想定する。本実施の形態において、出力輝度設定値Ａ２と出力輝度設定値Ｃ２との変化が大きい場合と、出力輝度設定値Ａ２と出力輝度設定値Ｂ２との変化が小さい場合とでは、遅延時間Ｔ１と同様に輝度変化時間Ｔ２も同一である。すなわち、出力輝度設定値Ａ２から出力輝度設定値Ｂ２への変化と同様な速さで、出力輝度設定値Ａ２を出力輝度設定値Ｃ２に変化させた場合に比べて、輝度変化に要する時間は、時間Ｔ３だけ短縮できる。したがって、照度変化が大きいほど、輝度変化が大きくなり、ユーザに見やすい映像を提供することができる。
【手続補正２】
【補正対象書類名】明細書
【補正対象項目名】００５２
【補正方法】変更
【補正の内容】
【００５２】
なお、ステップＳ３０４ではユーザ輝度設定値に対応して輝度可変範囲の上限値を更新しているが、ユーザ輝度設定値に対応して輝度可変範囲の下限値を更新するようにしてもよい。すなわち、上記したように本実施の形態に係る輝度補正装置２００の記憶部２０５は、輝度可変範囲の上限値及び下限値の少なくとも一方を算出するための演算情報を記憶している。ここで、演算情報は、入力された輝度設定情報に対応して輝度可変範囲の上限値及び下限値の少なくとも一方を設定する情報である。そして、照度制御部２０２は、入力された輝度設定情報及び記憶された演算情報に応じて輝度可変範囲の上限値及び下限値の少なくとも一方を算出するとともに、計測された照度値と算出された輝度可変範囲から出力輝度設定値を決定する。このような構成により、本実施の形態によれば、ユーザ輝度設定値に応じて、輝度可変範囲および表示部の輝度を適切に補正することができる。
【手続補正３】
【補正対象書類名】明細書
【補正対象項目名】００６１
【補正方法】変更
【補正の内容】
【００６１】
また、ステップＳ４０５ではユーザ輝度設定値に対応して輝度可変範囲の第１上限値としての出力輝度設定値ｔｈ４を更新しているが、ユーザ輝度設定値に対応して輝度可変範囲の第１下限値としての出力輝度設定値ｃ４を更新するようにしてもよい。すなわち、上記したように本実施の形態に係る輝度補正装置２００の記憶部２０５は、所定の閾値及び所定の閾値に対応する出力輝度設定値ｔｈ４及び出力輝度設定値ｃ４の少なくとも一方をさらに記憶する。そして、入力された輝度設定情報が記憶された所定の閾値より大きい場合、演算情報は、入力された輝度設定情報に対応して輝度可変範囲の上限値及び下限値の少なくとも一方を設定する情報である。一方、入力された輝度設定情報が記憶された所定の閾値以下の場合、演算情報は、輝度可変範囲の上限値及び下限値の少なくとも一方を対応する出力輝度設定値ｔｈ４及び出力輝度設定値ｃ４の少なくとも一方に設定する情報である。
【手続補正４】
【補正対象書類名】明細書
【補正対象項目名】００６２
【補正方法】変更
【補正の内容】
【００６２】
（実施の形態４）
図５に本発明の実施の形態４に係る輝度補正装置２００の構成を示す。本実施の形態における構成要素は実施の形態３の構成要素と同じ構成要素については同じ符号を用い、説明を省略する。図１１に本発明の実施の形態４に係る照度制御部２０２の全体処理を示すフローチャートを示す。図１１において、実施の形態３と同じ処理については同じ符号を用い、説明を省略する。
【手続補正５】
【補正対象書類名】明細書
【補正対象項目名】００６７
【補正方法】変更
【補正の内容】
【００６７】
出力輝度設定値は環境照度と輝度可変範囲に基づいて決まるので、同じ環境照度において、ユーザ輝度設定値が所定の閾値ＴＨ４より大きく変化すると、輝度可変範囲の変化に伴って表示部１０４の輝度も変化する。
【手続補正６】
【補正対象書類名】特許請求の範囲
【補正対象項目名】全文
【補正方法】変更
【補正の内容】
【特許請求の範囲】
【請求項１】
表示部を有する輝度補正装置であって、
外部環境情報である照度値を計測する照度センサと、
現在の輝度設定値と前記現在の輝度設定値を目標輝度設定値に向けて更新開始する輝度補正開始時間までの遅延時間を算出するための算出情報とを記憶する記憶部と、
前記照度センサが計測した前記照度値から前記目標輝度設定値を決定し、前記目標輝度設定値と前記記憶部が記憶した前記現在の輝度設定値と前記算出情報とに応じて前記輝度補正開始時間を決定し、前記輝度補正開始時間において前記記憶部が記憶した前記現在の輝度設定値及び前記目標輝度設定値から規定時間毎の輝度設定変化量を算出し、算出した前記輝度設定変化量に応じて出力輝度設定値を出力する照度制御部と、
前記照度制御部が出力した前記出力輝度設定値に応じて、前記表示部の輝度を調整する輝度制御部と、
を具備する輝度補正装置。
【請求項２】
前記現在の輝度設定値と前記目標輝度設定値とに差がある場合、
前記照度制御部は、
前記現在の輝度設定値と前記目標輝度設定値との差が所定輝度閾値より小さい程、前記遅延時間を長くし、
前記現在の輝度設定値と前記目標輝度設定値との差が前記所定輝度閾値以上の場合は、前記遅延時間を所定値にする請求項１に記載の輝度補正装置。
【請求項３】
前記照度制御部は、前記算出情報を含む決定テーブルを有し、
前記決定テーブルに基づいて、前記目標輝度設定値と前記現在の輝度設定値から前記遅延時間を決定する請求項１に記載の輝度補正装置。
【請求項４】
前記現在の輝度設定値と前記目標輝度設定値とに差がある場合、
前記照度制御部は、
前記目標輝度設定値と前記現在の輝度設定値との差が所定輝度閾値より小さい場合、
規定時間に前記目標輝度設定値と前記現在の輝度設定値の差を乗算して乗算結果を得るとともに、
初期値から前記乗算結果を減算して前記遅延時間として決定し、
前記目標輝度設定値と前記現在の輝度設定値の差が前記所定輝度閾値以上の場合、
前記遅延時間を所定値に決定する請求項１に記載の輝度補正装置。
【請求項５】
前記照度制御部は、前記現在の輝度設定値が前記目標輝度設定値になるまでの変化時間を所定時間となるように、前記輝度設定変化量を算出する請求項１に記載の輝度補正装置。
【請求項６】
輝度設定情報を入力する入力部をさらに備え、
前記記憶部は、さらに輝度可変範囲の上限値及び下限値の少なくとも一方を算出するための演算情報を記憶し、
照度制御部は、入力された前記輝度設定情報及び記憶された前記演算情報に応じて前記輝度可変範囲の前記上限値及び前記下限値の少なくとも一方を算出するとともに、計測された前記照度値と算出された前記輝度可変範囲から前記出力輝度設定値を決定する請求項１に記載の輝度補正装置。
【請求項７】
前記演算情報は、入力された前記輝度設定情報に対応して前記輝度可変範囲の前記上限値及び前記下限値の少なくとも一方を設定する情報である、ことを特徴とする請求項６に記載の輝度補正装置。
【請求項８】
前記記憶部は、所定の閾値及び前記所定の閾値に対応する第１上限値及び第１下限値の少なくとも一方をさらに記憶し、
前記演算情報は、
入力された前記輝度設定情報が記憶された前記所定の閾値より大きい場合、
入力された前記輝度設定情報に対応して前記輝度可変範囲の前記上限値及び前記下限値の少なくとも一方を設定し、
入力された前記輝度設定情報が記憶された前記所定の閾値以下の場合、
前記輝度可変範囲の前記上限値及び前記下限値の少なくとも一方を対応する前記第１上限値及び前記第１下限値の少なくとも一方に設定する情報である、ことを特徴とする請求項６に記載の輝度補正装置。
【請求項９】
前記記憶部は、所定の閾値及び前記輝度可変範囲の前記上限値及び前記下限値の少なくとも一方を算出するための所定の算出式を記憶し、
前記演算情報は、
入力された前記輝度設定情報が記憶された前記所定の閾値より大きい場合
入力された前記輝度設定情報に対応して前記輝度可変範囲の前記上限値及び前記下限値の少なくとも一方を設定し、
入力された前記輝度設定情報が記憶された前記所定の閾値以下の場合
前記輝度可変範囲の前記上限値及び前記下限値の少なくとも一方を前記所定の算出式によって算出する情報である、ことを特徴とする請求項６に記載の輝度補正装置。
【請求項１０】
表示部の輝度を補正するための輝度補正方法であって、
外部環境情報である照度値を計測するステップと、
現在の輝度設定値と、前記現在の輝度設定値を目標輝度設定値に向けて更新開始する輝度補正開始時間までの遅延時間を算出するための算出情報と、を記憶するステップと、
計測された前記照度値から前記目標輝度設定値を決定するステップと、
前記目標輝度設定値と前記現在の輝度設定値と前記算出情報とに応じて前記輝度補正開始時間を決定するステップと、
前記輝度補正開始時間において前記現在の輝度設定値及び前記目標輝度設定値から規定時間毎の輝度設定変化量を算出するステップと、
算出された前記輝度設定変化量に応じて出力輝度設定値を出力するステップと、
出力された前記出力輝度設定値に応じて、輝度を調整するステップと、
を有する輝度補正方法。
【請求項１１】
前記記憶するステップは、輝度可変範囲の上限値及び下限値の少なくとも一方を算出するための演算情報を記憶し、
前記出力輝度設定値を出力するステップは、入力された前記輝度設定情報及び記憶された前記演算情報によって前記輝度可変範囲の前記上限値及び前記下限値の少なくとも一方を算出するとともに、計測された前記照度値と算出された前記輝度可変範囲から出力輝度設定値を決定する、
請求項１０に記載の輝度補正方法。
【手続補正７】
【補正対象書類名】図面
【補正対象項目名】図１１
【補正方法】変更
【補正の内容】
【図１１】
2010044256.tif 000017
【国際調査報告】
2010044256.tif 000018
2010044256.tif 000019
2010044256.tif 000020
2010044256.tif 000021